(57)【要約】【目的】本発明は、入浴時に手や足の５本の指の間を同時に洗浄したり、背骨付近といった背中の洗浄困難であった場所を１人で洗うことを可能とする身体洗浄具に関するものである。【構成】二枚の帯状生地にポケット部を形成させて縫い合わせ、ポケット開口部に絞り紐を通して身体洗浄具１を構成する。【選択図】　図１
2004016759.tif 000002
【特許請求の範囲】
【請求項１】
二枚の帯状生地にポケット部を形成させて縫い合わせ、ポケット開口部に絞り紐を通して構成した身体洗浄具。
【請求項２】
複数の紐状体を並べ、その紐状体の両端に持ち手部を設けた身体洗浄具。
【請求項３】
請求項１記載の帯状生地の片端に複数の紐状体の片端を取付けその紐状体のもう一方の片端を寄せ集めて持ち手部に取付けた身体洗浄具。
【請求項４】
請求項２、請求項３に記載の複数の紐状体どうしを連結するばらつき防止を設けた身体洗浄具。
【請求項５】
請求項２から請求項４に記載の紐状体の素材を一定の素材としない身体洗浄具。
【請求項６】
請求項２から請求項５に記載のそれぞれの紐状体の素材を裏と表で一定の素材としない身体洗浄具。
【請求項７】
請求項１から請求項６に記載の帯状体および紐状体の素材をラッセルメッシュやトリコットメッシュとした身体洗浄具。
【請求項８】
請求項１から請求項７に記載の身体洗浄具の長手方向中心部付近にたわしを設けた身体洗浄具。
【請求項９】
請求項２から請求項８に記載の身体洗浄具の適宜位置にポケットを設けた身体洗浄具。
【請求項１０】
片端に踏み押え部を取付けた複数の紐状体を並べ、その紐状体のもう片端を寄せ集めて持ち手部を取付けた足指の間洗い用の身体洗浄具。
【請求項１１】
請求項２から請求項１０に記載の紐状体に凹凸を設けてなる身体洗浄具。
【発明の詳細な説明】
【０００１】
【発明の属する技術分野】
本発明は、入浴時に手や足の５本の指の間を同時に洗浄したり、背骨付近といった背中の洗浄困難であった場所を１人で洗うことを可能とする身体洗浄具に関するものである。
【０００２】
【従来の技術】
従来、入浴時に１人で体を洗う際には、手や足の５本の指の間を同時に洗うことや、背骨付近等背中のくぼんでいる所をきちんとこするのは困難であった。
【０００３】
また、背中のくぼんでいる所の垢をこすり落とすことのできる公知の技術としては特開平７−２３６５９１や昭６２−１２３１９４のようなあかすりが存在するが、これらのあかすりは帯状体およびタオルの長手方向中心部付近にこぶ状の隆起を設けてあるが、記載の形状では隆起が細かな背中のくぼみまで入り込めずに、使用してみると、背中の溝やくぼみの汚れを効率よくこすり落とすのは困難であるほか、自体に収納用のポケットを有していないのと、５本の指の間を同時に洗浄したりする機能は有していなかった。
【発明が解決しようとする課題】
【０００４】
本発明は上記の問題に着目してなされたものであり、入浴時、１人で体を洗う際に背中の手の届かないところ、特に背骨付近といったくぼみの汚れや５本の指の間の汚れを一気に洗浄するのは困難であったほか、洗浄具自体タオル形状のものがほとんどであり、運搬時や収納時にかさばっていた。本発明はこれら欠点を解決するためになされたものである。
【課題を解決するための手段】
【０００５】
請求項１に記載の身体洗浄具は、二枚の帯状生地をポケット部を形成させて縫い合わせ、ポケット開口部に絞り紐を通して構成したことを特徴とするものである。
【０００６】
請求項２に記載の身体洗浄具は、複数の紐状体を並べ、その紐状体の両端に持ち手部を設けたことを特徴とするものである。
【０００７】
請求項３に記載の身体洗浄具は、請求項１記載の帯状生地の片端に複数の紐状体の片端を取付け、その紐状体のもう一方の片端を寄せ集めて持ち手部に取付けたことを特徴とするものである。
【０００８】
請求項４に記載の身体洗浄具は、請求項２、請求項３に記載の複数の紐状体どうしを連結するばらつき防止を設けたことを特徴とするものである。
【０００９】
請求項５に記載の身体洗浄具は、請求項２から請求項４に記載の紐状体の素材を一定の素材としないことを特徴とするものである。
【００１０】
請求項６に記載の身体洗浄具は、請求項２から請求項５に記載のそれぞれの紐状体の素材を裏と表で一定の素材としないことを特徴とするものである。
【００１１】
請求項７に記載の身体洗浄具は、請求項１から請求項６に記載の帯状体および紐状体の素材をラッセルメッシュやトリコットメッシュとしたことを特徴とするものである。
【００１２】
請求項８に記載の身体洗浄具は、請求項１から請求項７に記載の身体洗浄具の長手方向中心部付近にたわしを設けたことを特徴とするものである。
【００１３】
請求項９に記載の身体洗浄具は、請求項２から請求項８に記載の身体洗浄具の適宜位置にポケットを設けたことを特徴とするものである。
【００１４】
請求項１０に記載の身体洗浄具は、片端に踏み押え部を取付けた複数の紐状体を並べ、その紐状体のもう片端を寄せ集めて持ち手部を取付けたことを特徴とするものである。
【００１５】
請求項１１に記載の身体洗浄具は、請求項２から請求項１０に記載の紐状体に凹凸を設けたことを特徴とするものである。
【００１６】
【発明の実施の形態】
本発明の実施の形態を以下、図面を参照して説明する。
図面１は、本発明第一の実施の形態を示す斜視図であり、二枚の帯状生地の適宜位置にポケット部を形成させて縫い合わせ、ポケット開口部に絞り紐を通してなる。
【００１７】
この発明を使用するときは、背中をこする際に図１に示すポケット部にタオルを入れ、こぶを作って背中をこすりやすくしてもかまわないし、また、収納や運搬の際にはポケット部を裏返して先ず図２の状態にし、次に図３に示すように絞り紐を引っ張ってポケット開口部を絞り上げて収納及び運搬する。
【００１８】
図４は、本発明第二の実施の形態を示す斜視図であり、複数の紐状体を並べてその紐状体の両端に持ち手部を設けてなる。
【００１９】
この発明を使用するときは、並列する紐状体の間に手や足の指を入れ指の股をこすり洗うほか、一般的なあかこすりと同様に体全体を洗うために使用してもかまわない。
【００２０】
図５は、本発明第三の実施の形態を示す斜視図であり、図１に記載の帯状生地の片端に複数の紐状体の片端を取付け、その紐状体のもう一方の片端を寄せ集めて持ち手部に取付けてなる。
【００２１】
また、この発明を使用するときは、背中をこする際に図５に示すポケット部にタオルを入れ、こぶを作って背骨付近をこすりやすくしてもかまわないし、また、収納や運搬の際には図１に示した身体洗浄具と同様に、ポケット部を裏返して先ず図２の状態にし、次に図３に示すように絞り紐を引っ張ってポケット開口部を絞り上げて収納及び運搬する。
更に、並列する紐状体の間に手や足の指を入れ指の股をこすり洗うようにして使用する。
【００２２】
図６は、本発明第四の実施の形態を示す一実施例図であり、請求項２、請求項３に記載の複数の紐状体どうしを連結するばらつき防止を設けたものである。
【００２３】
図７は、本発明第五の実施の形態を示す一実施例図であり、請求項１から請求項７に記載の身体洗浄具の長手方向中心部付近にたわしを設けたものである。
【００２４】
また、この発明を使用するときは、背中をこする際に図７に示すたわしを背中にこすりつけて使用する。
【００２５】
図８は、本発明第六の実施の形態を示す一実施例図であり、請求項２から請求項８に記載の身体洗浄具の適宜位置にポケットを設けたものである。
【００２６】
また、この発明を使用するときは、ポケットを裏返し、中に身体洗浄具そのものを押し込めて収納および運搬する。
【００２７】
図９は、本発明第七の実施の形態を示す斜視図であり、片端に踏み押え部を取付けた複数の紐状体を並べ、その紐状体のもう片端に持ち手部を取付けたものである。
【００２８】
また、この発明を使用するときは、踏み押え部を片足で踏みつけ、もう片足の指を並列する複数の紐状体の間に入れ、指の股を紐状体にこすりつけるようにして使用する。
【００２９】
図１０は、本発明第八の実施の形態を示す一実施例図であり、請求項２から請求項１０に記載の身体洗浄具の紐状体に凹凸を設けたものである。
【００３０】
尚、本発明に使用する素材は限定するものではなく、どのような素材を使用してもかまわないし、また、色も限定するものではない。
【００３１】
尚、本発明に記載の絞り紐の素材は綿やナイロンなど伸縮しない素材を使用してもかまわないし、ゴムなど弾力性のある素材を使用してもかまわない。
【００３２】
また、本発明のたわしは特に限定するものではないが、生地を細かく折り返して複数のひだを設けてなるものが望ましい。
【００３３】
尚、本発明に記載のポケットの位置は特に限定するものではない。
【発明の効果】
【００３４】
本発明を使用することにより、従来、入浴時に１人で体を洗う際に困難であった、手や足の５本の指の間を同時に洗うことが可能となる。
【００３５】
また、指の間をきちんと洗うことができるために足の指の間に発生する水虫などの病気の治療や防止に効果がある。
【００３６】
また、本発明に記載のたわしにより、背骨付近など背中のくぼんでいる所などきちんとこする事が容易となる。
【００３７】
さらに、本発明には収納用のポケットを設けてあることから本発明品の運搬や収納を助ける効果があるほか、見た目にもかわいらしいと言った感情を使用者に持たせることが可能となる。
【００３８】
また、本発明に記載の紐状体は、体を洗浄する際に一本毎に違った動きが生まれるために、使用者に予測のつきにくい刺激を与えることができるので、使用者に身体洗浄の楽しみを与えることができる。
【図面の簡単な説明】
【図１】図１は、本発明第一の実施の形態を示す斜視図である。
【図２】図２は、本発明第二の実施の形態を示す斜視図である。
【図３】図３は、本発明第三の実施の形態を示す斜視図である。
【図４】図４は、本発明第四の実施の形態を示す斜視図である。
【図５】図５は、本発明第五の実施の形態を示す斜視図である。
【図６】図６は、本発明第六の実施の形態を示す一実施例図である。
【図７】図７は、本発明第七の実施の形態を示す一実施例図である。
【図８】図８は、本発明第八の実施の形態を示す一実施例図である。
【図９】図９は、本発明第八の実施の形態を示す斜視図である。
【図１０】図１０は、本発明第八の実施の形態を示す一実施例図である。
【符号の説明】
１・１Ａ・１Ｂ・１Ｃ・１Ｄ・１Ｅ・１Ｆ・１Ｇ・・・身体洗浄具
２・２Ａ・・・帯状体
３・３Ａ・３Ｂ・・・ポケット部
４・４Ａ・・・ポケット開口部
５・５Ａ・５Ｂ・・・絞り紐
６・６Ａ・・・・縫いしろ
７・７Ａ・７Ｂ・７Ｃ・７Ｄ・７Ｅ・７Ｆ・・・紐状体
８・８Ａ・８Ｂ・８Ｃ・８Ｄ・８Ｅ・８Ｆ・・・持ち手部
９・９Ａ・９Ｂ・・・ばらつき防止
１０・・・たわし
１１・・・踏み押え部
【図１】
2004016759.tif 000003
【図２】
2004016759.tif 000004
【図３】
2004016759.tif 000005
【図４】
2004016759.tif 000006
【図５】
2004016759.tif 000007
【図６】
2004016759.tif 000008
【図７】
2004016759.tif 000009
【図８】
2004016759.tif 000010
【図９】
2004016759.tif 000011
【図１０】
2004016759.tif 000012